(57)【特許請求の範囲】
【請求項１】
無線ネットワークを用いて検索システムと通信するモバイルシステムが検索結果を提供する方法において、
入力されたイメージデータに対応する検索結果を提供するイメージ検索モードと、予め決定された複数の検索の主題を提供し、選択された主題に応じて予め決定された複数の属性を提供する属性検索モードとを含み、かつ、テキスト検索モード、オーディオ検索モード、又は知識検索モードに属するいずれか１つ以上の検索モードを含む複数の検索モードのうち、所望する検索モードをユーザが選択可能な検索モード選択インタフェースを提供するステップと、
前記検索モード選択インタフェースによって選択された検索モードに対応する検索サービスインタフェースを提供するステップと、
前記検索サービスインタフェースによって前記選択された検索モードの特性に応じた検索要請情報を前記検索システムに伝達するステップと、
前記検索要請情報に対応して前記選択された検索モードに該当する検索結果を前記検索システムから受信して提供するステップと、
を含み、
前記検索モード選択インタフェースは、ユーザが選択可能な複数の検索モードを一つの画面に表示して提供し、前記属性検索モードのための前記予め決定された複数の検索の主題及び選択される主題に応じて予め決定された複数の属性を表示することを含み、
前記検索サービスインタフェースによって前記選択された検索モードの特性に応じた検索要請情報を前記検索システムに伝達するステップは、前記複数の属性のうち選択される属性に応じた検索要請情報を前記検索システムに伝達することを含むことを特徴とする検索結果提供方法。
【請求項２】
前記検索モード選択インタフェースは、前記複数の検索モードを指示するためのインタフェース、および前記検索サービスを、少なくとも１つの前記検索モードに対応する検索サービスに転換するためのインタフェースを含むことを特徴とする請求項１に記載の検索結果提供方法。
【請求項３】
前記検索サービスインタフェースは、前記複数の検索モードのうち選択された検索モードに応じて互いに異なる形式、形態、またはフォーマットの検索要請情報が入力されるためのインタフェースを含んで構成され、
前記検索サービスインタフェースを提供するステップは、
前記選択された検索モードに必要なインタフェースを含んで構成された検索サービスインタフェースを提供することを特徴とする請求項１に記載の検索結果提供方法。
【請求項４】
前記選択された検索モードの特性に応じた検索要請情報を前記検索システムに伝達するステップは、
前記複数の属性のうちユーザによって選択された属性に関する情報および位置情報を前記検索要請情報として前記検索システムに伝達することを特徴とする請求項１に記載の検索結果提供方法。
【請求項５】
前記検索結果は、前記属性に応じた検索結果のうち前記位置情報と距離上で関連する少なくとも１つの検索結果を含むことを特徴とする請求項４に記載の検索結果提供方法。
【請求項６】
前記検索サービスインタフェースは、前記複数の検索モードのうちイメージ検索モードの検索ヒストリーを提供するためのインタフェースを含み、
前記検索ヒストリーは、前記イメージ検索モードによって検索要請として入力されたイメージ、および前記イメージ検索モードによって検索された検索結果に含まれたイメージのうち少なくとも１つのイメージをサムネイルの形態で提供することを特徴とする請求項１に記載の検索結果提供方法。
【請求項７】
前記サムネイルは、前記少なくとも１つのイメージに対する検索結果へのリンクを含むことを特徴とする請求項６に記載の検索結果提供方法。
【請求項８】
前記検索サービスインタフェースは、前記複数の検索モードのうち知識検索モードのための質問データ入力インタフェースを含み、
前記選択された検索モードの特性に応じた検索要請情報を前記検索システムに伝達するステップは、
前記質問データ入力インタフェースによって入力される質問データを前記検索システムに送信するステップを含み、
前記選択された検索モードに該当する検索結果を前記検索システムから受信して提供するステップは、
前記質問データに対応する他のユーザの返答データが前記検索システムにアップロードされる場合に前記検索システムから送信される情報を、前記検索結果として受信して前記検索モード選択インタフェースおよび前記検索サービスインタフェースのうち少なくとも１つに表示するステップを含むことを特徴とする請求項１に記載の検索結果提供方法。
【請求項９】
前記検索システムから送信される情報は、前記返答データのアップロードの有無および前記返答データの個数のうち少なくとも１つに関する情報を含むことを特徴とする請求項８に記載の検索結果提供方法。
【請求項１０】
前記質問データを前記検索システムに送信するステップは、
位置に関する情報を前記検索システムにさらに送信するステップを含み、
前記検索システムで前記質問データと共に前記位置に関する情報が少なくとも前記他のユーザに提供されることを特徴とする請求項８に記載の検索結果提供方法。
【請求項１１】
前記質問データを前記検索システムに送信するステップは、
前記質問データを分析して前記質問データが地名に関連する情報を含む場合、前記位置に関する情報を前記検索システムにさらに送信することを特徴とする請求項１０に記載の検索結果提供方法。
【請求項１２】
前記質問データを前記検索システムに送信するステップは、
前記質問データから検索語を抽出して前記検索システムにさらに送信するステップを含み、
前記情報を表示するステップは、
前記検索システムで保持される返答データのうち前記検索語に対応する返答データを前記検索システムからさらに受信して表示することを特徴とする請求項８に記載の検索結果提供方法。
【請求項１３】
前記検索システムに関連する単一のサービス提供者によって提供される複数のサービスを前記検索システムとの通信によって提供するステップをさらに含み、
前記複数のサービスは、検索サービスを少なくとも含み、メール、ニュース、カフェ、ブログのうち少なくとも１つのサービスをさらに含むことを特徴とする請求項１に記載の検索結果提供方法。
【発明の詳細な説明】
【技術分野】
【０００１】
本発明の実施形態は、モバイル検索のためのモバイルシステム、検索システム、および検索結果提供方法に関する。
【背景技術】
【０００２】
既存のウェブ市場の大きな部分を担う検索分野においては、検索ポータルサイトを中心に数多くのサービスが関係している。このようなウェブにおける検索分野においてはモバイル分野に重要度が移り、モバイル検索に対する期待感も大きくなっている。
【０００３】
このようなモバイル検索分野で用いられるモバイル端末の特性上、モバイル端末のサイズが小さいため、検索のためのデータ及び検索結果のためのデータの入出力において、一般の検索分野に比べて相対的に制約（ｃｏｎｓｔｒａｉｎｔ）がある。
【０００４】
本発明の一実施形態によれば、様々な種類の検索を効率的に提供することのできるモバイルシステム、検索システム、および検索結果提供方法が提供される。
【発明の概要】
【発明が解決しようとする課題】
【０００５】
本発明の目的は、テキスト検索、音声を用いて検索結果を取得する音楽などを検索するためのオーディオ検索、写真などに含まれる単語または写真を用いて検索結果を取得するイメージ検索、質問に対する他のユーザの返答を取得する知識検索、及びユーザによって入力された主題に適した属性を用いて検索結果を取得する属性検索のように、様々な検索モードを容易に提供することを可能にするモバイルシステム、検索システム、および検索結果提供方法を提供することにある。
【０００６】
本発明の他の目的は、様々な主題を提示し、ユーザによって入力された主題に適した属性を提示することによって、所定の主題と属性を選択するだけでも検索を可能にし、モバイル端末に入出力する際に感じる難しさ（ｄｉｆｆｉｃｕｌｔｙ）を軽減することのできるモバイルシステム、検索システム、および検索結果提供方法を提供することにある。
【課題を解決するための手段】
【０００７】
本発明の一実施形態によると、検索モードを選択する検索インタフェースを提供するユーザインタフェース部と、検索インタフェースによって選択された検索モードに応じて検索要求情報を受信して検索サーバに送信する検索要求部と、検索要求情報に対応する検索結果を検索サーバから受信して提供する検索結果提供部とを備えるモバイルシステムが提供される。ここで、検索モードは、（１）入力されたオーディオデータに対応する検索結果を提供するオーディオ検索モードと、（２）入力されたイメージデータに対応する検索結果を提供するイメージ検索モードのうち少なくとも１つの検索モードを含む。
【０００８】
本発明の一実施形態によると、オーディオ検索モードは、入力されたオーディオデータから抽出されたテキストに対応する検索結果を提供する音声検索モードと、入力されたオーディオデータを少なくとも含むコンテンツに対応する検索結果を提供するオーディオコンテンツデータ検索モードとを含んでもよい。
【０００９】
本発明の他の実施形態によると、イメージ検索モードは、入力されたイメージデータから抽出されたテキストに対応する検索結果を提供するイメージテキストベース検索モードと、少なくとも入力されたイメージデータを含むコンテンツに対応する検索結果を提供するイメージコンテンツデータ検索モードとを含んでもよい。
【００１０】
本発明の更なる実施形態によると、イメージ検索モードは、入力されたイメージデータから抽出されたテキストを項目別に構造化して格納するイメージテキスト格納モードを含んでもよい。
【００１１】
本発明の更なる実施形態によると、検索モードは、入力された質問データに対応する返答データを検索結果として提供する知識検索モードをさらに含み、知識検索モードは質問データが検索サーバに関連するウェブページに表示され、検索結果提供部は、質問データに対応してウェブページに表示される返答データを検索結果として受信して提供してもよい。
【００１２】
本発明の更なる実施形態によると、検索モードは、入力された主題の属性に対応する条件を満足する検索結果を提供する属性検索モードをさらに含み、ユーザインタフェース部は、属性検索モードが選択される場合、主題に対応する少なくとも１つの属性のうちユーザによって選択される少なくとも１つの属性を確認してもよく、検索結果提供部は、確認された属性に対応する条件を満足する検索結果を受信して提供し、ユーザによって選択される少なくとも１つの属性が変更される場合、動的に検索結果を変更して提供してもよい。
【００１３】
本発明の更なる実施形態によると、ユーザインタフェース部は、属性に対応する条件を満足する検索結果のうち選択される検索結果からテキストを抽出し、検索結果提供部は、抽出されたテキストを検索語として用いて検索された検索結果を、検索サーバによって受信してさらに提供してもよい。
【００１４】
また、本発明の一実施形態によると、モバイル端末から受信された検索要求情報に含まれる検索モードを確認する検索モード確認部と、検索モードに応じて検索要求情報に対応する検索結果を確認してモバイル端末に提供する検索結果提供部とを備える検索システムが提供されてもよい。ここで、検索モードは、（１）入力されたオーディオデータに対応する検索結果を提供するオーディオ検索モードと、（２）入力されたイメージデータに対応する検索結果を提供するイメージ検索モードのうち少なくとも１つの検索モードを含む。
【００１５】
また、本発明の一実施形態によると、検索の主題を選択する検索インタフェースを提供するユーザインタフェース部と、検索インタフェースによって入力された主題に応じて、予め決定された少なくとも１つの属性を検索インタフェースによって提供する属性提供部と、少なくとも１つの属性のうち選択される属性に対応する検索要求情報を検索サーバに送信する検索要求部と、検索要求情報に対応する検索結果を検索サーバから受信して提供する検索結果提供部とを備えるモバイルシステムが提供されてもよい。
【００１６】
また、本発明の一実施形態によると、モバイル端末から検索要求情報を受信する検索要求受信部と、検索要求情報に含まれる少なくとも１つの属性に応じて検索結果を確認してモバイル端末に提供する検索結果提供部と、を備える検索システムが提供されてもよい。ここで、少なくとも１つの属性は、モバイル端末で選択された検索の主題に対応する属性のうち少なくとも１つの属性を含む。
【００１７】
また、本発明の一実施形態によると、検索モードを選択する検索インタフェースを提供することと、検索インタフェースによって選択された検索モードに応じて検索要求情報を受信して検索サーバに送信することと、検索要求情報に対応する検索結果を検索サーバから受信して提供することとを含む検索結果提供方法が提供されてもよい。ここで、検索モードは、（１）入力されたオーディオデータに対応する検索結果を提供するオーディオ検索モードと、（２）入力されたイメージデータに対応する検索結果を提供するイメージ検索モードのうち少なくとも１つの検索モードを含む。
【００１８】
また、本発明の一実施形態によると、モバイル端末から受信された検索要求情報に含まれる検索モードを確認することと、検索モードに応じて検索要求情報に対応する検索結果を確認してモバイル端末に提供することとを含む検索結果提供方法が提供されてもよい。ここで、検索モードは、（１）入力されたオーディオデータに対応する検索結果を提供するオーディオ検索モードと、（２）入力されたイメージデータに対応する検索結果を提供するイメージ検索モードのうち少なくとも１つの検索モードを含む。
【００１９】
また、本発明の一実施形態によると、検索の主題を選択する検索インタフェースを提供することと、検索インタフェースによって入力された主題に応じて、予め決定された少なくとも１つの属性を検索インタフェースによって提供することと、少なくとも１つの属性のうち選択される属性に対応する検索要求情報を検索サーバに送信することと、検索要求情報に対応する検索結果を検索サーバから受信して提供することとを含む検索結果提供方法が提供されてもよい。
【００２０】
また、本発明の一実施形態によると、モバイル端末から検索要求情報を受信することと、検索要求情報に含まれる少なくとも１つの属性に応じて検索結果を確認してモバイル端末に提供することとを含む検索結果提供方法が提供されてもよい。ここで、少なくとも１つの属性は、モバイル端末で選択された検索の主題に対応する属性のうち少なくとも１つの属性を含む。
【発明の効果】
【００２１】
本発明によれば、テキスト検索、音声を用いて検索結果を取得する音楽などを検索するオーディオ検索、写真などに含まれる単語または写真そのものを用いて検索結果を取得するイメージ検索、質問に対する他のユーザの返答を取得する知識検索、及びユーザによって入力された主題に適した属性を用いて検索結果を取得する属性検索のように、様々な検索モードを容易に提供することができる。
【００２２】
本発明によれば、様々な主題を提示し、ユーザによって入力された主題に適した属性を提示することによって、所定の主題と属性を選択するだけでも検索を可能にし、モバイル端末に入出力する際に感じる難しさを軽減させることができる。
【図面の簡単な説明】
【００２３】
【図１】本発明の一実施形態に係るモバイル端末および検索サーバの概略構成の一例を示す図である。
【図２】本発明の一実施形態に係るモバイルシステムの内部構成を説明するためのブロック図である。
【図３】本発明の一実施形態に係る検索インタフェースを示す画面の一例を示す図である。
【図４】本発明の一実施形態に係る検索インタフェースを示す画面の他の例を示す図である。
【図５】本発明の一実施形態に係る人気検索語を提供する画面の一例を示す図である。
【図６】本発明の一実施形態に係る検索サーバが提供するサービスに対するショートカット機能を提供する画面の一例を示す図である。
【図７】本発明の一実施形態に係るテキスト検索のためのインタフェースを示す画面の一例を示す図である。
【図８】本発明の一実施形態に係るバーコード検索方法を説明するためのフローチャートである。
【図９】本発明の一実施形態に係るイメージでバーコード情報を認識する画面の一例を示す図である。
【図１０】本発明の一実施形態に係るバーコード検索によって検索された検索結果および検索ヒストリーを示す画面の一例を示す図である。
【図１１】本発明の一実施形態に係るユーザからバーコードが入力されるインタフェースを示す画面の一例を示す図である。
【図１２】本発明の一実施形態に係るイメージからテキストを抽出する画面および抽出されたテキストによる検索結果を示す画面の一例を示す図である。
【図１３】本発明の一実施形態に係るイメージからテキストを抽出する画面および抽出されたテキストを項目別に構造化したことを示す画面の一例を示す図である。
【図１４】本発明の一実施形態に係る音声検索方法を説明するためのフローチャートである。
【図１５】本発明の一実施形態に係るユーザの音声を認識するための画面の一例を示す図である。
【図１６】本発明の一実施形態に係る認識された音声によって検索された検索結果を示す画面の一例を示す図である。
【図１７】本発明の一実施形態に係る音楽検索方法を説明するためのフローチャートである。
【図１８】本発明の一実施形態に係る検索しようとする音楽を認識するための画面の一例を示す図である。
【図１９】本発明の一実施形態に係る音楽検索によって検索された検索結果を示す画面の一例を示す図である。
【図２０】本発明の一実施形態に係る知識検索方法を説明するためのフローチャートである。
【図２１】本発明の一実施形態に係るユーザからの質問が入力されて質問による検索結果を提供する画面の一例を示す図である。
【図２２】本発明の一実施形態に係る入力された質問に対する返答を提供する画面の一例を示す図である。
【図２３】本発明の一実施形態に係る入力された主題に対応する属性を示す画面および選択された属性に応じた検索結果を提供する画面の第１例を示す図である。
【図２４】本発明の一実施形態に係る入力された主題に対応する属性を示す画面および選択された属性に応じた検索結果を提供する画面の第２例を示す図である。
【図２５】本発明の一実施形態に係る入力された主題に対応する属性を示す画面および選択された属性に応じた検索結果を提供する画面の第３例を示す図である。
【図２６】本発明の一実施形態に係る入力された主題に対応する属性を示す画面および選択された属性に応じた検索結果を提供する画面の第４例を示す図である。
【図２７】本発明の一実施形態に係る入力された主題に対応する属性を示す画面および選択された属性に応じた検索結果を提供する画面の第５例を示す図である。
【図２８】本発明の一実施形態に係るモバイルシステムが行うことのできる検索結果提供方法を示すフローチャートである。
【図２９】本発明の一実施形態に係る検索システムの内部構成を説明するためのブロック図である。
【図３０】本発明の一実施形態に係る検索システムが行うことのできる検索結果提供方法を示すフローチャートである。
【図３１】本発明の他の実施形態に係るモバイルシステムの内部構成を説明するためのブロック図である。
【図３２】本発明の他の実施形態に係るモバイルシステムが行うことのできる検索結果提供方法を示すフローチャートである。
【図３３】本発明の他の実施形態に係る検索システムの内部構成を説明するためのブロック図である。
【図３４】本発明の他の実施形態に係る検索システムが行うことのできる検索結果提供方法を示すフローチャートである。
【発明を実施するための形態】
【００２４】
以下、本発明の実施形態を添付する図面を参照しながら詳説する。
【００２５】
図１は、本発明の一実施形態に係るモバイル端末および検索サーバの概略構成の一例を示す図である。モバイル端末１１０は、様々な検索モードを検索インタフェースによって提供してもよく、ユーザにより選択された検索モードと選択された検索モードに対応するデータが入力されて検索サーバ１２０に送信されてもよい。ここで、モバイル端末１１０は、検索サーバ１２０が提供可能な様々な検索サービスを検索インタフェースによって１つの画面に表示することにより、検索サーバ１２０が提供する様々なサービスを、入出力に制約のあるモバイル端末１１０であってもユーザが便利に用いることができように表示してもよい。
【００２６】
図１において、検索サーバ１２０は１つのサーバとして図示しているが、単一のサービス提供者によって提供される様々なサービスを提供するために、複数のサーバから構成されてもよい。
【００２７】
図２は、本発明の一実施形態に係るモバイルシステムの内部構成を説明するためのブロック図である。本実施形態に係るモバイルシステム２００は、図１を参照して説明したモバイル端末１１０に対応し、無線ネットワークを用いて検索サーバと通信してもよい。ここで、検索サーバは、図１を参照して説明した検索サーバ１２０に対応する。
【００２８】
このようなモバイルシステム２００は、図２に示すように、ユーザインタフェース部２１０、検索要求部（ｓｅａｒｃｈ  ｒｅｑｕｅｓｔ  ｕｎｉｔ）２２０、および検索結果提供部２３０を備える。
【００２９】
ユーザインタフェース部２１０は、検索モードを選択するための検索インタフェースを提供する。ここで、検索モードは、（１）入力されたオーディオデータに対応する検索結果を提供するオーディオ検索モード、（２）入力されたイメージデータに対応する検索結果を提供するイメージ検索モード、（３）入力された質問データ（ｑｕｅｒｙ  ｄａｔａ）に対応する返答データ（ａｎｓｗｅｒ  ｄａｔａ）を検索結果として提供する知識検索モード（ｋｎｏｗｌｅｄｇｅ  ｓｅａｒｃｈ  ｍｏｄｅ）、および（４）入力された主題（ｓｕｂｊｅｃｔ）の属性（ａｔｔｒｉｂｕｔｅ）に対応する条件（ｃｒｉｔｅｒｉｏｎ）を満足する検索結果を提供する属性検索モード（ａｔｔｒｉｂｕｔｅ  ｓｅａｒｃｈ  ｍｏｄｅ）のうち、少なくとも１つの検索モードを含む。また、各検索モードは、モバイルシステム２００の位置情報を用いて追加的な情報を生成または提供するために用いられてもよい。位置情報を用いる方法については後述する。
【００３０】
ここで、オーディオ検索モードは、入力されたオーディオデータから抽出された（ｅｘｔｒａｃｔｅｄ）テキストに対応する検索結果を提供する音声検索モードおよび少なくとも入力されたオーディオデータを含むコンテンツに対応する検索結果を提供するオーディオコンテンツデータ検索モードを含んでもよい。例えば、音声検索モードは、ユーザの音声からテキストを抽出し、抽出されたテキストに基づいて検索するためのモードであってもよい。また、オーディオコンテンツデータ検索モードは、路上などで聴こえる音楽などを録音してオーディオデータとして受信し、当該音楽を含むコンテンツまたはコンテンツに関する情報を検索するためのモードであってもよい。
【００３１】
イメージ検索モードは、イメージテキストベース検索モード（ｉｍａｇｅ  ｔｅｘｔ  ｂａｓｅｄ  ｓｅａｒｃｈ  ｍｏｄｅ）、イメージコンテンツデータ検索モード（ｉｍａｇｅ  ｃｏｎｔｅｎｔ  ｄａｔａ  ｓｅａｒｃｈ  ｍｏｄｅ）、およびイメージテキスト格納モード（ｉｍａｇｅ  ｔｅｘｔ  ｓｔｏｒａｇｅ  ｍｏｄｅ）を含んでもよい。
【００３２】
イメージテキストベース検索モードは、入力されたイメージデータから抽出されたテキストに対応する検索結果を提供するためのモードであり、撮影された写真の中に含まれるテキスト情報を認識し、当該テキスト情報を用いて検索を行うためのモードであってもよい。例えば、イメージテキストベース検索モードは、バーコードを認識してバーコードに対応する商品に関する情報を検索するために用いられてもよい。他の例として、イメージテキストベース検索モードは、海外旅行中に標識板（ｓｉｇｎ）を撮影して標識板に含まれる単語の辞書的な意味を検索したり、標識板に書かれている文章を認識して当該文章を自動翻訳したりするために用いてもよい。
【００３３】
イメージコンテンツデータ検索モードは、入力されたイメージデータを少なくとも含むコンテンツに対する検索結果を提供するためのモードであってもよい。例えば、映画の一場面のようなイメージに基づいて当該映画に関する情報を検索したり、音楽アルバムに含まれる写真に基づいて音楽アルバムに関する情報を取得したりしてもよい。他の例として、特定の建物の写真を撮影して当該建物に関連する情報を検索結果として提供したり、人物写真によって当該人物に関する情報を検索結果として提供したりしてもよい。
【００３４】
イメージテキスト格納モードは、入力されたイメージデータから抽出されたテキストを項目別に構造化（ｓｔｒｕｃｔｕｒａｌｉｚｅ）して構造化されたテキストを格納（ｓｔｏｒｅ）するためのモードであってもよい。例えば、イメージテキスト格納モードは、名刺認識などに用いられてもよい。すなわち、撮影された名刺のイメージから、名前、アドレス、電話番号、肩書きのようなテキスト情報を抽出し、抽出された名前、アドレス、電話番号、肩書きなどを項目別に構造化して格納するモードであってもよい。
【００３５】
知識検索モードは、上述したように入力された質問データに対応する返答データを検索結果として提供するためのモードであり、質問データは、検索サーバに関連するウェブページに表示されてもよい。すなわち、ウェブページに表示された質問データに対して他のユーザが返答データをアップロード（ｕｐｌｏａｄ）するとき、返答データがモバイルシステム２００によってユーザに提供されてもよい。
【００３６】
属性検索モードは、所定の主題（ｇｉｖｅｎ  ｓｕｂｊｅｃｔ）に対応する属性をユーザに提供し、ユーザによって選択された属性に対応する検索結果を提供するためのモードであってもよい。このような属性検索モードは、ユーザの所望する検索結果を検索するための検索語が分からなくても所望の検索結果を取得することを可能にする。例えば、ユーザは燃費が１等級で、価格が１千万ウォンから２千万円ウォンの、準中型に属する車にはどのような車があるかを把握したいと望む場合、属性検索モードでは車という主題に応じて、燃費、価格、サイズのような属性を提供してもよく、ユーザは所望する属性に該当する車に関する検索結果を取得することができる。ここで、ユーザは、「車」、「燃費」、「１等級」のように、順次主題と属性を選択して所望する検索結果を取得することができる。ここで、検索結果は、主題と属性に応じて提供されてもよい。例えば、「材料／レシピ」に関連する検索結果には、材料の特徴に関連する検索結果や、特定の料理に対するレシピが検索結果として提供されてもよい。また、モバイルシステム２００は、特定の検索結果がユーザによって選択される場合、選択された検索結果からテキストを抽出し、抽出されたテキストを検索語として用いた検索結果をさらに提供してもよい。このような追加的な検索結果を提供する方法については後述する。
【００３７】
検索要求部２２０は、検索インタフェースによって選択された検索モードに応じて検索要求情報を受信して検索サーバに送信する。ここで、検索要求部２２０は、様々な検索モードによる様々な種類のデータによって各検索要求情報を生成しなければならない。すなわち、検索モードに応じてテキスト、オーディオデータ、イメージデータなどの様々な種類のデータを検索サーバに送信する必要がある。そのために、検索要求情報は、送信されるデータの他に、少なくとも検索インタフェースによって選択される検索モードに関する情報をさらに含んでもよい。
【００３８】
検索結果提供部２３０は、検索要求情報に対応する検索結果を検索サーバから受信して提供する。例えば、上述したように、知識検索モードにおいて、質問データは、検索サーバに関連するウェブページに表示される。ここで、質問データに対応して他のユーザからの返答データがウェブページに表示される場合、検索結果提供部２３０は、当該返答データを検索結果として受信してユーザに提供してもよい。それだけではなく、検索結果提供部２３０は、各検索モードに応じて、送信された検索要求情報に対応する検索結果を、検索サーバから受信してユーザに提供してもよい。他の例として、検索結果提供部２３０は、属性検索モードでユーザによって特定の主題に対応する属性が選択されると、選択された属性に応じた条件を満足する検索結果を検索サーバから受信してユーザに提供し、ユーザによって選択される属性が変更される場合、変更された属性に応じて受信された検索結果を動的（ｄｙｎａｍｉｃａｌｌｙ）に変更してユーザに提供してもよい。
【００３９】
また、上述したように、属性検索モードに応じて提供される検索結果のうち１つがユーザによって選択される場合、モバイルシステム２００は、選択された検索結果からテキストを抽出し、抽出されたテキストを検索語として統合検索（ｕｎｉｆｉｅｄ  ｓｅａｒｃｈ）を行って検索結果をユーザに提供してもよい。
【００４０】
モバイルシステム２００は、データベース（図示せず）をさらに含んでもよい。ここで、データベース（図示せず）には、ユーザによって保存された様々なコンテンツが格納されていてもよく、モバイルシステム２００は、検索モードに応じてデータベース（図示せず）を検索し、検索された検索結果を受信された検索結果に追加してユーザに提供してもよい。または、モバイルシステム２００は、データベース（図示せず）をまず検索して検索結果がない場合、検索サーバを用いて検索結果を取得してもよい。
【００４１】
図３は、本発明の一実施形態に係る検索インタフェースを示す画面の一例を示す図である。画面３００は、モバイル端末の検索インタフェースを示している。図３に示す検索インタフェースは１つの一例であり、その位置や構成などは必要に応じて変更され得る。
【００４２】
ここで、第１点線ボックス（ｄｏｔｔｅｄ  ｂｏｘ）３１０は、テキスト検索のためのインタフェースを説明するためのもので、検索語が入力されるためのフィールド３１１と入力された検索語によって検索を開始するためのインタフェース３１２を示している。
【００４３】
第２点線ボックス３２０は、オーディオ検索モードを選択するためのインタフェース３２１とイメージ検索モードを選択するためのインタフェース３２２を示している。図３では、オーディオ検索モードを選択するためのインタフェース３２１とイメージ検索モードに対応するインタフェース３２２のみを示しているが、オーディオ検索モードを含む音声検索モード、オーディオコンテンツデータ検索モード、及びイメージ検索モードを含むイメージテキストベース検索モードのためのインタフェースを含んでもよい。このような検索モードは、バーコード検索、名刺検索、音声検索、音楽検索のように特定機能を表すインタフェースとして表示してもよい。
【００４４】
第３点線ボックス３３０は、知識検索モードに関連する領域であり、質問データを入力するためのフィールド３３１、入力された質問データに基づき知識検索を開始するためのインタフェース３３２、および知識検索による返答データの存在有無を示すためのインタフェース３３３が示されている。返答データの存在有無は、「新しい返答Ｎ」のように「Ｎ」の表示有無によって表示してもよい。
【００４５】
第４点線ボックス３４０は、属性検索に関連する領域であり、様々な主題が表示されてもよい。ここで、領域は表示しようとする主題が一度に表示されることができない場合には、スクロールによって複数の主題を表示したり、複数のページのうち選択されるページが当該領域に表示されるようにしたりしてもよい。他の実施形態において、第４点線ボックス３４０に関連する領域はユーザから所望する主題が入力されるように構成してもよい。
【００４６】
第５点線ボックス３５０は、ホーム画面を画面に表示するためのインタフェース、知識検索のメイン画面を提供するためのインタフェース、人気検索語（ｐｏｐｕｌａｒ  ｋｅｙｗｏｒｄｓ）を提供するためのインタフェース、検索サーバにより提供されるサービスに対応するショートカット機能を提供するためのインタフェース、および様々な環境を設定するためのインタフェースを含む領域を示している。
【００４７】
図４は、本発明の一実施形態に係る検索インタフェースを示す画面の他の例を示す図である。画面４００は、モバイル端末の検索インタフェースを示している。ここで、点線ボックス４１０は、オーディオ検索モードとイメージ検索モードを具体化して、バーコード検索のためのインタフェース４１１、音声検索のためのインタフェース４１２、および音楽検索のためのインタフェース４１３を含む領域を示している。実施形態に応じて名刺検索のように、上述した異なるインタフェースが追加されたり、既に表示されたインタフェースが除かれて表示されてもよい。
【００４８】
図５は、本発明の一実施形態に係る人気検索語を提供する画面の一例を示す図である。第１画面５１０は、ホームの下方に表示されるインタフェースのうち、人気検索語を提供するためのインタフェースがユーザによって選択される例を示している。また、第２画面５２０は、人気検索語を提供するためのインタフェースがユーザによって選択された場合、リアルタイム急上昇検索語（ｒｅａｌ−ｔｉｍｅ  ｕｐｒｉｓｉｎｇ  ｋｅｙｗｏｒｄｓ）が順位ごとに表示される例を示している。ここで、リアルタイム急上昇検索語に関する情報は、検索サーバによって受信されてもよい。すなわち、図２を参照して説明したモバイルシステム２００において、人気検索語を提供するためのインタフェースがユーザによって選択される場合、リアルタイム急上昇検索語に関する情報を検索サーバに要求してもよく、検索サーバは要求に応じた情報をモバイルシステム２００に提供してもよい。ここで、モバイルシステム２００は、提供された情報を第２画面５２０のように表示することによりユーザに提供してもよい。ここで、リアルタイム急上昇検索語に関する情報は、一定時間の間隔をおいて検索サーバによって受信されて更新されてもよい。
【００４９】
図６は、本発明の一実施形態に係る検索サーバが提供するサービスに対するショートカット機能を提供する画面の一例を示す図である。第１画面６１０は、ホームの下方に表示されるインタフェースのうち、検索サーバにより提供されるサービスに対応するショートカット機能を提供するためのインタフェースがユーザによって選択されることを示している。また、第２画面６２０は、ショートカット機能を提供するためのインタフェースがユーザによって選択される場合、サービスへのショートカットリストが表示されたことを示している。例えば、ポータルサイトなどは検索機能だけではなく、メール、ニュース、カフェ、ブログのように様々なサービスを提供するため、このような様々なサービスのためのショートカット機能が共に提供されてもよい。
【００５０】
図７は、本発明の一実施形態に係るテキスト検索のためのインタフェースを示す画面の一例を示す図である。第１画面７１０は、検索語入力のためのフィールドがユーザによって選択される構成を示し、第２画面７２０は、フィールドがユーザによって選択される場合に提供される画面を示している。ここで、第２画面７２０は、テキストが入力されるためのインタフェースをユーザに提供すると同時にユーザが以前に入力した検索語に関する情報の検索記録を提供していることを示す。ここで、検索記録には音声検索により入力された検索語が含まれてもよい。第２画面７２０に示されるインタフェースには検索記録を削除したり、検索記録がない場合、検索ガイドのためのテキストを表示したりするなどの機能をさらに含んでもよい。
【００５１】
ここで、検索語入力のためのフィールドには自動完成（ａｕｔｏ−ｃｏｍｐｌｅｔｉｏｎ）機能が提供されてもよい。
【００５２】
図８は、本発明の一実施形態に係るバーコード検索方法を説明するためのフローチャートである。まず、ホーム８０１を示す画面においてバーコード検索８０２が選択される場合、モバイルシステム２００は、バーコード検索８０２のための画面を提供し、ユーザにバーコードが表示されたイメージを入力することを要求してもよい。ここで、ユーザから写真撮影などによって入力されるイメージデータにより、バーコードを認識するための認識工程（ｒｅｃｏｇｎｉｔｉｏｎ  ｏｐｅｒａｔｉｏｎ）８０３が行われてもよい。認識工程８０３においてバーコードが認識されるとき、モバイルシステム２００は、認識されたバーコードに関する情報を検索サーバに送信してもよく、検索サーバから検索結果を受信してもよい。ここで、バーコードを認識する工程８０３において認識が失敗した場合、必要に応じてユーザにイメージデータを再び入力することを要求することがある。
【００５３】
また、結果確認（ｒｅｓｕｌｔ  ｖｅｒｉｆｉｃａｔｉｏｎ）８０４のための画面において、ユーザに検索結果を提供し、ユーザが検索結果に満足するか否かに関する情報が入力されてもよい。もし、ユーザが検索結果に満足すると判断する場合、バーコード検索８０２は終了８０５されて再びホーム８０１の画面が提供されてもよい。もし、ユーザが検索結果に満足しないと判断する場合には、バーコード直接入力８０６のための画面がユーザに提供されてもよい。ここで、モバイルシステム２００は、バーコード直接入力に関する情報を検索サーバに送信してもよく、検索結果を受信することによって、検索のための工程８０７が行われるようにしてもよい。ここで、結果が存在する場合は、再び結果確認８０４のための画面が提供されてもよく、結果が存在しない場合は検索結果無しページ８０８の画面がユーザに提供されてもよい。
【００５４】
また、バーコード検索８０２のための画面では、バーコード検索のヒストリー８０９を提供するためのインタフェースが提供されてもよい。
【００５５】
図９は、本発明の一実施形態に係るイメージでバーコード情報を認識する画面の一例を示す図である。第１画面９１０は、写真撮影によって入力されるイメージデータとイメージデータでバーコードが表示された領域を選択する例を示している。第２画面９２０は選択された領域でバーコードを認識する例を示している。
【００５６】
図１０は、本発明の一実施形態に係るバーコード検索によって検索された検索結果および検索ヒストリーを示す画面の一例を示す図である。第１画面１０１０は、入力されたイメージデータから認識されたバーコードを用いて検索された商品に対する検索結果を示している。また、第２画面１０２０は、バーコード検索のヒストリーを示している。すなわち、第２画面１０２０は、いずれの商品をいつ検索したかを示している。ここで、このような商品に関する情報は、サムネイルの形態で提供してもよく、最新順または商品名順に整列してもよい。このようなサムネイルには、当該商品に関連する情報を含むページへのリンクを含んでもよい。
【００５７】
カメラを用いてバーコードの写真を撮影する場合、別途のカメラボタンが無くとも、自動で撮影モードが実行されてもよい。また、カメラを用いることなく、インターネットなどからダウンロードしたり、既に撮影されて格納されたイメージデータを用いたりしてもよい。
【００５８】
図１１は、本発明の一実施形態に係るユーザからバーコードの入力されるインタフェースを示す画面の一例を示す図である。ユーザはバーコード検索による検索結果を満足しない場合、または検索結果が見つからない場合、バーコードを直接入力してもよい。第１画面１１１０は、検索結果が見つからない場合、ユーザにバーコードを直接入力するか否かを確認する例を示している。また、第２画面１１２０は、バーコードの末尾（ｌｏｗｅｒ  ｅｎｄ）の数字を入力するために数字キーパッドを含むインタフェースがユーザに提供される例を示している。
【００５９】
図１２は、本発明の一実施形態に係るイメージからテキストを抽出する画面および抽出されたテキストによる検索結果を示す画面の一例を示す図である。上述したように、モバイルシステム２００は、イメージ検索モードが選択される場合、カメラによって撮影されたり、インターネットによってダウンロードされた、またはモバイルシステム２００に予め格納されていたイメージデータを介してイメージ検索を行なったりしてもよい。第１画面１２１０は、入力されたイメージデータからユーザによって設定された領域のテキストを抽出する例を示す。また、第２画面１２２０は、抽出されたテキストを検索語として検索し、単語の意味を検索するための例を示す画面である。すなわち、第２画面１２２０は、辞書のための画面において検索語を入力するフィールドに、抽出されたテキストが検索語として入力された構成を示す。
【００６０】
図１３は、本発明の一実施形態に係るイメージからテキストを抽出する画面および抽出されたテキストを項目別に構造化したことを示す画面の一例図である。詳しくは、図１３は、名刺を認識するための構成を示す。第１画面１３１０は、名刺を撮影したイメージからテキストを抽出する構成を示し、第２画面１３２０は名刺に示される名前、携帯電話番号、およびＥメールアドレスなどの項目を構造化してユーザに提供していることを示す。第２画面１３２０において、表示された各項目はユーザによって修正されてもよく、検索サーバやモバイルシステム２００の格納領域（ｓｔｏｒａｇｅ  ａｒｅａ）に格納されてもよい。
【００６１】
ここで、図１３には名刺検索を行う例を示したが、このような名刺に対してイメージテキストベース検索モードが選択される場合、モバイルシステム２００は、名刺イメージから人の名前を抽出して人物検索を行ったり、名刺イメージから業者の名前を抽出して業者に関連する情報を検索したりしてもよい。
【００６２】
図１４は、本発明の一実施形態に係る音声検索方法を説明するためのフローチャートである。まずホーム１４０１を示す画面で音声検索１４０２が選択される場合、モバイルシステム２００は、音声検索１４０２のための画面を提供してユーザに音声を入力することを要求してもよい。ここで、モバイルシステム２００は録音機能を用いてユーザの音声を録音し、録音された音声からテキストを抽出して認識する認識工程１４０３を実行してもよい。テキストが認識されると、モバイルシステム２００は、認識されたテキストに関する情報を検索サーバに送信し、検索サーバから検索結果を受信する検索工程１４０４を実行してもよい。ここで、認識工程１４０３において認識が失敗した場合、モバイルシステム２００は、必要に応じてユーザに音声を再び入力することを要求してもよい。
【００６３】
また、結果確認１４０５のための画面によってユーザに検索結果を提供し、検索結果に満足するか否かに関する情報が入力されてもよい。もし、ユーザが検索結果に満足すると判断する場合、音声検索１４０２は終了１４０６されて再びホーム１４０１の画面が提供されてもよい。もし、ユーザが検索結果に満足しないと判断する場合には、類似結果リスト１４０８を提供するための画面によってユーザが認識されたテキストと類似のテキストを用いて再び検索工程１４０４を繰り返してもよい。検索工程１４０４において、テキストに対する検索結果がない場合には、検索結果無しページ１４０７がユーザに提供されてもよく、再び音声検索１４０２のための画面がユーザに提供されてもよい。
【００６４】
図１５は、本発明の一実施形態に係るユーザの音声を認識するための画面の一例を示す図である。第１画面１５１０は、端末機の下端（ｌｏｗｅｒ  ｅｎｄ）にあるマイクによって検索しようとする単語を言うことをユーザに要求する例を示し、第２画面１５２０はユーザの音声を録音する例を示している。モバイルシステム２００は、ユーザの音声が録音されると、録音された音声からテキストを抽出してもよい。
【００６５】
図１６は、本発明の一実施形態に係る認識された音声によって検索された検索結果を示す画面の一例を示す図である。第１画面１６１０は、抽出されたテキストを検索語として用いて検索結果を提供することを示している。ここで、第２画面１６２０は、第１画面１６１０において「類似の結果を見る」が選択される場合、抽出されたテキストに類似する単語を提供することを示している。また、第２画面１６２０は、ユーザの音声を再び入力することを要求するインタフェースを示している。
【００６６】
図１７は、本発明の一実施形態に係る音楽検索方法を説明するためのフローチャートである。まずホーム１７０１を示す画面で音楽検索１７０２が選択される場合、モバイルシステム２００は、音楽検索１７０２のための画面を提供してユーザにマイクによって音源を入力することを要求してもよい。ここで、モバイルシステム２００は、録音機能を用いて入力される音源を録音する認識工程１７０３を行なってもよい。ここで、録音された音源を検索サーバに送信し、検索サーバから検索結果を受信する検索工程１７０４が実行されてもよい。ここで、認識工程１７０３において認識が失敗した場合、必要に応じてユーザに音声を再び入力することを要求してもよい。
【００６７】
また、結果確認１７０５のための画面によってユーザに検索結果を提供し、ユーザが検索結果に満足するか否かに関する情報を入力してもよい。もし、ユーザが検索結果に満足すると判断する場合、音楽検索１７０２は終了１７０６されて再びホーム１７０１画面が提供されてもよい。もし、検索工程１７０４において、テキストに対する検索結果がない場合には、検索結果無しページ１７０７がユーザに提供されてもよく、再び音楽検索１７０２のための画面がユーザに提供されてもよい。
【００６８】
図１８は、本発明の一実施形態に係る検索しようとする音楽を認識するための画面の一例を示す図である。第１画面１８１０は、検索しようとする音楽をＮ秒間再生する（ｐｌａｙ  ｂａｃｋ）ことをユーザに要求する例を示し、第２画面１８２０は入力される音楽を録音する例を示している。
【００６９】
図１９は、本発明の一実施形態に係る音楽検索によって検索された検索結果を示す画面の一例を示す図である。第１画面１９１０は、録音された音楽によって検索された曲に関する情報をユーザに提供し、第２画面１９２０は、検索された曲がユーザによって選択される場合、当該曲に関連する検索結果をユーザに提供する例を示している。
【００７０】
図２０は、本発明の一実施形態に係る知識検索方法を説明するためのフローチャートである。ユーザがホームのキューボックス（ｑｕｅｕｅ  ｂｏｘ）２００１やホームの下方に表示された下方メニュー（ｌｏｗｅｒ  ｍｅｎｕ）から知識検索２００５を選択する場合、知識検索モードが選択されてもよい。ここで、ホームのキューボックス２００１は、図３で説明したフィールド３３１に対応し、知識検索２００５も図３で説明した第５点線ボックス３５０の知識検索のためのインタフェースに対応する。このような知識検索モードは、質問に対する返答をユーザに正確に提供するため、基本的にログイン２００２、２００６によってユーザを確認した後に行なわれてもよい。ここで、ログインされない場合には、ログインウィンドウ２００７がユーザに提供されてもよく、ログインウィンドウ２００７によってログインされた後、キューボックス２００８のためのメイン画面がユーザに提供されてもよい。
【００７１】
まず、ホームのキューボックス２００１を利用してアクセスしたユーザがホームのキューボックス２００１を選択する場合、モバイルシステム２００は、質問する２００３のための画面をユーザに提供してもよく、ユーザは提供された画面のインタフェースを用いて質問データを入力してもよい。モバイルシステム２００は入力された質問データを検索サーバに送信し、検索サーバから受信される検索結果を受信してもよい。ここで、モバイルシステム２００は結果２００４を提供する画面をユーザに提供してもよい。ここで、結果２００４を提供する画面には、質問する２００３のための画面を再び提供するためのインタフェースを含んでもよい。
【００７２】
ログインしたユーザが、ホームの下方メニューに含まれている知識検索２００５を選択する場合には、直ちにキューボックス２００８のためのメイン画面がユーザに提供されてもよく、ユーザの質問の内容と質問に対する返答の内容を提供するマイ質問ページ（ｍｙ  ｑｕｅｒｙ  ｐａｇｅ）２００９及び質問する２０１０のための画面がユーザに提供されてもよい。ここで、質問する２０１０のための画面によってユーザからの質問データが入力されると、モバイルシステム２００は入力された質問データを検索サーバに送信し、検索サーバから受信される検索結果を受信してもよい。ここで、モバイルシステム２００は結果２００４を提供する画面をユーザに提供してもよい。
【００７３】
図２１は、本発明の一実施形態に係るユーザからの質問が入力されて質問による検索結果を提供する画面の一例を示す図である。第１画面２１１０は、ホームの一例を示している。ここで、第１画面２１１０に示された「新しい返答Ｎ」及び下方メニューに含まれる知識検索のためのインタフェースの上部に表示された「Ｎ」は、ユーザの質問に対する返答がアップロードされたことを意味する。第２画面２１１０は、質問データが入力されるための画面であり、質問データが入力されるためのフィールドのみならず、以前の質問に関する情報も示している。第３画面２１３０は、入力された質問からキーワードを抽出し、検索語として用いて検索された検索結果を表示する例を示す。すなわち、第３画面２１３０には入力された質問データから検索語「スネ駅の焼肉屋さん」を抽出し、抽出された検索語を用いて検索結果を表示していることを示す。
【００７４】
図２２は、本発明の一実施形態に係る入力された質問に対する返答を提供する画面の一例を示す図である。第１画面２２１０は、ユーザの質問を表示する例を示し、第２画面２２２０および第３画面２２３０は、ユーザの質問に対する返答データを提供する例を示している。ここで、第２画面２２２０は、受信した返答データに基づき検索された知識検索の結果を提供する例を示し、第３画面２２３０は、検索サーバに関連するページに質問データと返答データが表示される例を示す。
【００７５】
図２３は、本発明の一実施形態に係る入力された主題に対応する属性を示す画面および選択された属性に応じた検索結果を提供する画面の第１例を示す図である。第１画面２３１０は、ユーザから選択された主題「材料／レシピ」に対して「肉類」、「水産物」、「野菜類」、「果物／堅果類」などを属性として提供し、提供された属性のうち選択された属性の「野菜類」に対して「ナス」、「ジャガイモ」、「甘草」、「カラシナ」などを再び属性として段階的に（ｓｅｑｕｅｎｔｉａｌｌｙ）提供する例を示している。ここで、第１画面２３１０には、選択された主題および属性の「材料／レシピ−野菜類−ジャガイモ／カラシナ」に対応する検索結果を示している。例えば、ジャガイモとカラシナを材料とする料理のレシピが検索結果として提供されてもよい。ここで、検索結果として、料理イメージのサムネイル、料理名、主材料、調理時間／カロリーなどを提供してもよい。また、検索結果はユーザが選択する属性を追加／削除／変更する瞬間に動的に変更され得る。
【００７６】
第２画面２３２０は、検索結果をクリックするなどのイベントによって、検索結果から抽出されたテキストを検索語にして検索結果を提供することを示している。すなわち、第２画面２３２０は、第１画面２３１０でユーザが「イカ炒め」に対応する検索結果をクリックする場合、検索結果の名称の「イカ炒め」を検索語として統合検索を行った結果を示している。
【００７７】
図２４は、本発明の一実施形態に係る入力された主題に対応する属性を示す画面および選択された属性に応じた検索結果を提供する画面の第２例を示す図である。第１画面２４１０は、主題「健康／病気」に対して「頭」、「目」、「鼻」、「口」などのような属性を提供し、提供された属性のうち選択された「鼻」に対して再び「鼻漏」、「鼻出血」、「頭痛」、「水疱（ｂｌｉｓｔｅｒ）」などの属性を段階的に提供する例を示している。ここで、モバイルシステム２００は、選択された属性の「鼻−鼻出血／水疱」などの症状が表れる病気を検索結果として提供してもよい。
【００７８】
第２画面２４２０は、検索結果のうち１つがユーザによって選択される場合、検索結果から抽出されたテキストを検索語にして検索結果を提供することを示している。すなわち、第２画面２４２０は、第１画面２４１０において「急性へんとう炎」に対応する検索結果がユーザから選択される場合、「急性へんとう炎」に対応する統合検索結果を提供していることを示す。
【００７９】
図２５は、本発明の一実施形態に係る入力された主題に対応する属性を示す画面および選択された属性に応じた検索結果を提供する画面の第３例を示す図である。第１画面２５１０は、主題「試合結果」に対して「野球全体」、「プロ野球」、「ＭＬＢ」、「サッカー全体」などの属性を提供し、選択された属性の「プロ野球」に対して月（ｍｏｎｔｈ）と日（ｄａｙ）を属性として提供している例を示している。すなわち、第１画面２５１０は、「４月」の「２日」に開かれたプロ野球試合の検索結果を示している。
【００８０】
第２画面２５２０は、第１画面２５１０において、プロ野球チームの「斗山」と「ＳＫ」との間の試合に対応する検索結果がユーザから選択される場合、選択された検索結果から抽出されたテキスト「２０１０年４月２日プロ野球斗山、ＳＫ」によって統合検索を行った結果を示している。
【００８１】
図２６は、本発明の一実施形態に係る入力された主題に対応する属性を示す画面および選択された属性に応じた検索結果を提供する画面の第４例を示す図である。第１画面２６１０は、主題「フェスティバル」に対して日付、地域、フェスティバルの種類などの属性を段階的に提供し、選択された属性に応じた検索結果を提供している例を示している。第２画面２６２０は、提供された検索結果のうち選択された検索結果からテキストを抽出し、抽出されたテキストに対応する統合検索結果を提供している例を示している。
【００８２】
図２７は、本発明の一実施形態に係る入力された主題に対応する属性を示す画面および選択された属性に応じた検索結果を提供する画面の第５例を示す図である。第１画面２７１０は、主題「単位変換（ｕｎｉｔ  ｃｏｎｖｅｒｓｉｏｎ）」に対して単位名、基準単位、変換単位などの属性を段階的に提供する例を示している。第２画面２７２０は、選択された属性に応じて基準単位に対する値が入力され、入力された値に対する変換された値を提供する例を示している。
【００８３】
このように、属性検索は、所定の主題に対して様々な属性を段階的に提供し、ユーザによって選択された属性に応じて検索結果を提供することができるため、検索語などを複雑に入力することなく検索結果の取得が図れる。これに加えて所望する検索結果を取得するための検索語が分からない場合であっても、主題に適した属性を選択することによって所望する検索結果を容易に取得することができる。
【００８４】
図２８は、本発明の一実施形態に係るモバイルシステムにより実行される検索結果提供方法を示すフローチャートである。本実施形態に係る検索結果提供方法は図２を参照して説明したモバイルシステム２００によって実行され得る。
【００８５】
ステップ２８１０において、モバイルシステム２００は検索モードを選択するための検索インタフェースを提供する。ここで、検索モードは（１）入力されたオーディオデータに対応する検索結果を提供するオーディオ検索モード、（２）入力されたイメージデータに対応する検索結果を提供するイメージ検索モード、（３）入力された質問データに対応する返答データを検索結果として提供する知識検索モード、および（４）入力された主題の属性に対応する条件を満足する検索結果を提供する属性検索モードのうち少なくとも１つの検索モードを含む。
【００８６】
ここで、オーディオ検索モードは、入力されたオーディオデータから抽出されたテキストに対応する検索結果を提供する音声検索モード、および入力されたオーディオデータを少なくとも含むコンテンツに対応する検索結果を提供するオーディオコンテンツデータ検索モードを含んでもよい。例えば、音声検索モードは、ユーザの音声からテキストを抽出し、抽出されたテキストに基づいて検索するためのモードであってもよい。また、オーディオコンテンツデータ検索モードは、路上などで聴こえる音楽などを録音してオーディオデータとして入力し、当該音楽を含むコンテンツやコンテンツに関する情報を検索するためのモードであってもよい。
【００８７】
イメージ検索モードは、イメージテキストベース検索モード、イメージコンテンツデータ検索モード、およびイメージテキスト格納モードを含んでもよい。
【００８８】
イメージテキストベース検索モードは、入力されたイメージデータから抽出されたテキストに対応する検索結果を提供するためのモードであり、撮影された写真の中に含まれるテキスト情報を認識し、当該テキスト情報を用いて検索を行うためのモードであってもよい。例えば、イメージテキストベース検索モードは、バーコードを認識してバーコードに対応する商品に関する情報を検索するために用いてもよい。他の例として、イメージテキストベース検索モードは、海外旅行中に標識板を撮影して標識板に含まれる単語の辞書的な意味を検索したり、標識板に書いてある文章を認識し、当該文章を自動翻訳するために用いたりしてもよい。
【００８９】
イメージコンテンツデータ検索モードは、入力されたイメージデータを少なくとも含むコンテンツに対応する検索結果を提供するためのモードであってもよい。例えば、映画の一場面のようなイメージに基づいて当該映画に関する情報を検索したり、音楽アルバムに含まれる写真に基づいて音楽アルバムに関する情報を取得したりしてもよい。他の例として、特定の建物の写真を撮影して当該建物に関連する情報を検索結果として提供したり、人物写真によって当該人物に関する情報を検索結果として提供したりしてもよい。
【００９０】
イメージテキスト格納モードは、入力されたイメージデータから抽出されたテキストを項目別に構造化して格納するためのモードであってもよい。例えば、イメージテキスト格納モードは名刺認識などに用いてもよい。すなわち、撮影された名刺のイメージから名前、アドレス、電話番号、肩書きのようなテキスト情報を抽出し、抽出された名前、アドレス、電話番号、肩書きなどを項目別に構造化して格納するためのモードであってもよい。
【００９１】
知識検索モードは、上述したように入力された質問データに対応する返答データを検索結果として提供するためのモードであり、質問データは検索サーバに関連するウェブページに表示されてもよい。すなわち、ウェブページに表示された質問データに対して他のユーザが返答データをアップロードするとき、返答データがモバイルシステム２００によってユーザに提供されてもよい。
【００９２】
属性検索モードは、所定の主題に対応する属性をユーザに提供し、ユーザによって選択された属性に対する検索結果を提供するためのモードであってもよい。このような属性検索モードは、ユーザの所望する検索結果を検索するための検索語が分からなくても所望の検索結果を取得することを可能にする。例えば、ユーザが、燃費が１等級であり、価格が１千万ウォンから２千万ウォンの、準中型に属する車には、いかなる車があるかを把握したい場合、属性検索モードでは車という主題に応じて燃費、価格、サイズのような属性が提供されてもよく、ユーザは所望する属性に該当する車に関する検索結果を取得することができる。ここで、ユーザは、「車」、「燃費」、「１等級」のように、順次主題と属性とを選択して所望する検索結果を取得してもよい。ここで、検索結果は、主題と属性に応じて提供されてもよい。例えば、「材料／レシピ」に関連する検索結果には、材料の特徴に関連する検索結果や、特定の料理に対するレシピが検索結果として提供されてもよい。また、モバイルシステム２００は、特定の検索結果がユーザにより選択される場合、選択された検索結果からテキストを抽出し、抽出されたテキストを検索語として用いて検索結果をさらに提供してもよい。このような追加的な検索結果を提供する方法については後述する。
【００９３】
ステップ２８２０において、モバイルシステム２００は、検索インタフェースによって選択された検索モードに応じて検索要求情報を受信して検索サーバに送信する。ここで、モバイルシステム２００は、様々な検索モードに基づく様々な種類のデータに応じてそれぞれの検索要求情報を生成する。すなわち、検索モードに応じて、テキスト、オーディオデータ、イメージデータなどの様々な種類のデータが検索サーバに送信されなければならない。そのために、検索要求情報は、送信されるデータの他にも、検索インタフェースによって選択される検索モードに関する情報をさらに含んでもよい。
【００９４】
ステップ２８３０において、モバイルシステム２００は、検索要求情報に対応する検索結果を検索サーバから受信して提供する。例えば、上述したように知識検索モードでは、質問データが検索サーバに関連するウェブページに表示される。ここで、質問データに対応してウェブページに他のユーザからの返答データが表示される場合、モバイルシステム２００は、当該返答データを検索結果として受信してユーザに提供してもよい。また、モバイルシステム２００は、各検索モードに応じて送信された検索要求情報に対応する検索結果を検索サーバから受信してユーザに提供してもよい。他の例として、モバイルシステム２００は、属性検索モードでユーザによって特定の主題に対応する属性が選択されると、選択された属性に応じた条件を満足する検索結果を検索サーバから受信してユーザに提供し、ユーザによって選択される属性が変更される場合、変更された属性に応じて受信された検索結果を動的に変更してユーザに提供してもよい。
【００９５】
また、上述したように、属性検索モードに応じて提供された検索結果のうち１つがユーザによって選択される場合、モバイルシステム２００は選択された検索結果からテキストを抽出し、抽出されたテキストを検索語にして統合検索を行って検索結果をユーザに提供してもよい。
【００９６】
モバイルシステム２００は、モバイルシステム２００に含まれるデータベースを用いて検索を行なってもよい。すなわち、データベースにはユーザによって保存された様々なコンテンツが格納されていてもよく、モバイルシステム２００は検索モードに応じてデータベースを検索し、検索された検索結果を受信された検索結果に追加してユーザに提供してもよい。またはモバイルシステム２００は、データベースを先に検索して検索結果のない場合に検索サーバを用いて検索結果を取得してもよい。
【００９７】
図２９は、本発明の一実施形態に係る検索システムの内部構成を説明するためのブロック図である。本実施形態に係る検索システム２９００は、図１を参照して説明した検索サーバ１２０、または図２〜図２８を参照して説明した検索サーバに対応する。
【００９８】
検索システム２９００は、図２９に示すように検索モード確認部（ｓｅａｒｃｈ  ｍｏｄｅ  ｖｅｒｉｆｉｃａｔｉｏｎ  ｕｎｉｔ）２９１０および検索結果提供部２９２０を提供してもよい。
【００９９】
検索モード確認部２９１０は、モバイル端末から受信された検索要求情報に含まれる検索モードを確認する。ここで、モバイル端末は、図２〜図２８によって説明したモバイルシステム２００に対応する。すなわち、検索モードは、モバイル端末からユーザに提供される検索インタフェースによって選択されてもよく、モバイル端末は検索モードに応じて入力されるデータ及び検索インタフェースによって選択される検索モードに関する情報を用いて検索要求情報を生成して検索システム２９００に送信してもよい。ここで、検索モード確認部２９１０は、受信された検索要求情報に含まれる検索モードを確認してもよい。検索モードに対しては、図２〜図２８を参照して詳説したため、繰り返しの説明は省略する。
【０１００】
検索結果提供部２９２０は、検索モードに応じて検索要求情報に対応する検索結果を確認してモバイル端末に提供する。ここで、検索結果提供部２９２０は、確認された検索モードに応じて互いに異なる検索方式（ｓｅａｒｃｈ  ｓｃｈｅｍｅ）を適用してもよい。すなわち、音楽検索モード、イメージ検索モードなどに応じて検索要求情報とともに送信されるデータの性質が異なるため、検索結果提供部２９２０はこのような検索モードに適した検索方式を選択して適用することで、検索結果を取得することが可能となる。ここで、得られた検索結果は、モバイル端末に送信されてモバイル端末のユーザが所望する検索結果を取得できるようにしてもよい。
【０１０１】
図３０は、本発明の一実施形態に係る検索システムが行うことのできる検索結果提供方法を示すフローチャートである。本実施形態に係る検索結果提供方法は、図２９を参照して説明した検索システム２９００によって実行されてもよい。
【０１０２】
ステップ３０１０において、検索システム２９００は、モバイル端末から受信された検索要求情報に含まれる検索モードを確認する。ここで、モバイル端末は、図２〜図２８を参照して説明したモバイルシステム２００に対応する。すなわち、検索モードは、モバイル端末からユーザに提供される検索インタフェースによって選択されてもよく、モバイル端末は検索モードに応じて入力されるデータと検索インタフェースによって選択される検索モードに関する情報を用いて、検索要求情報を生成して検索システム２９００に送信してもよい。ここで、検索モード確認部２９１０は、受信された検索要求情報に含まれる検索モードを確認してもよい。検索モードについては、図２〜図２８を参照して詳説したため、繰り返しの説明は省略する。
【０１０３】
ステップ３０２０において、検索システム２９００は、検索モードに応じて検索要求情報に対応する検索結果を確認してモバイル端末に提供する。ここで、検索結果提供部２９２０は、確認された検索モードに応じて互いに異なる検索方式を適用してもよい。すなわち、音楽検索モード、イメージ検索モードなどによって検索要求情報とともに送信されるデータの性質が異なるため、検索結果提供部２９２０はこのような検索モードに適した検索方式を選択して適用することで検索結果を取得することができる。ここで、得られた検索結果は、モバイル端末に送信されてモバイル端末のユーザが所望する検索結果を取得するようにしてもよい。
【０１０４】
再び図２を参照すると、モバイルシステム２００は各検索モードに対応する検索結果の精度（ａｃｃｕｒａｃｙ）のために、モバイルシステム２００の位置に応じた位置情報をさらに用いてもよい。ここで、必要に応じてユーザが位置情報を利用するか否かを選択するようにしてもよい。
【０１０５】
一例として、イメージ検索モードに応じて特定の建物の写真を撮って当該建物に関する情報を取得したい場合、モバイルシステム２００の位置による位置情報を用いることによって、当該建物がいずれの位置に存在するかに関する情報を追加的に送信し、更に正確な検索結果を提供することができる。すなわち、モバイルシステム２００は、特定の建物に対するイメージのみならず位置情報をともに検索システム２９００へ送信してもよく、検索システム２９００は、イメージを用いた検索のみならず検索結果に当該位置情報に関連する情報が含まれているかを確認して更に正確な検索結果を提供することができる。
【０１０６】
他の例として、属性検索モードでユーザによって選択された主題に対応する属性を提供する場合、モバイルシステム２００の位置情報を参照して主題に対応する属性が提供されるようにしてもよい。一例として、主題に「健康／病気」が選択された場合、属性として「近い病院／薬局／保健所」がユーザに提供されてもよい。また、属性に応じた検索結果を提供する場合も、位置情報を参照して更に正確な検索結果を提供することが可能になる。一例として、主題の「フェスティバル」に対して属性として「２０１０年４月」、「ソウル」、「展示会」がそれぞれ選択された場合、ソウルで２０１０年４月に行われた展示会に関する情報のみならず、現在の位置で当該展示会場まで行く方法のような様々な検索結果がさらに提供されてもよい。
【０１０７】
それだけではなく、このような位置情報は音声検索モードでも用いてもよい。一例として、ユーザの音声を認識し、認識された音声によって検索結果を提供することのできる音声検索モードである場合、ユーザには位置情報を用いるかを選択できる機能が提供され、位置情報を用いる場合、音声と位置情報とを比較して音声認識の正確度を高めたり、認識された音声と位置情報をともに検索システム２９００に送信して更に正確な検索結果を提供したりすることが可能となる。
【０１０８】
知識検索モードでは、ユーザが現在の位置に関連する質問として例えば、「今論見（ノンヒョン）駅の近くにいますが、良才駅行きのバスはどこで乗ることができますか？」のように質問する場合、質問データとともにユーザの位置が表示された地図情報をウェブページに掲示することによって、返答者が返答を作成するときに参考にするようにしてもよい。また、質問においてキーワードを抽出し、抽出されたキーワードに対する検索結果を提供する場合にも、ユーザの位置情報によって更に正確な検索結果を提供することができる。
【０１０９】
このように、検索モードごとに位置情報をさらに用いることによって、より正確な検索結果を提供し、ユーザの利便性を向上させることができる。
【０１１０】
また、知識検索モードでは、特定の返答者に質問データが送信されるようにしてもよい。例えば、特定の分野ごとに専門家が設定されている場合、検索システム２９００は質問データを分析して当該質問のある分野に関連する質問であるかを判断し、判断された分野の専門家に当該質問データが送信されるようにしてもよい。また他の例として、前述した位置情報を用いてモバイルシステム２００のユーザの近くにいる返答者に、質問データが送信されるようにしてもよい。ここで、検索システム２９００は、特定の返答者に質問データを送信するため、特定の返答者に関連するページに質問データを表示してもよい。また、質問データの表示を特定の返答者に知らせるため、特定の返答者が所有している端末機に、当該ページに質問データが表示されたことを知らせるメッセージを送信してもよい。
【０１１１】
図３１は、本発明の他の実施形態に係るモバイルシステムの内部構成を説明するためのブロック図である。本実施形態に係るモバイルシステム３１００は、図３１に示すようにユーザインタフェース部３１１０、属性提供部３１２０、検索要求部３１３０、及び検索結果提供部３１４０を備える。
【０１１２】
ユーザインタフェース部３１１０は、検索の主題を選択するための検索インタフェースを提供する。ここで、ユーザインタフェース部３１１０は、様々な主題を検索インタフェースによって提供してもよいが、ユーザから検索インタフェースによって主題を入力してもよい。
【０１１３】
属性提供部３１２０は、検索インタフェースを用いて入力された主題に応じて予め決定された少なくとも１つの属性を、検索インタフェースを用いて提供する。ここで、１つの属性は、詳細な属性（ｄｅｔａｉｌｅｄ  ａｔｔｒｉｂｕｔｅｓ）を含むものであってもよく、ユーザは検索インタフェースによって段階的に属性を選択してもよい。また、属性提供部３１２０は、１つの主題に対して１つ以上の属性を提供してもよく、１つの属性に対して１つ以上の詳細な属性を提供してもよい。ここで、属性を提供するステップは、主題に応じてその属性の深さ（ｄｅｐｔｈｓ）が決定される。すなわち、主題に応じて、いずれかの主題は一次的な（ｐｒｉｍａｒｙ）属性だけを含むものであってもよく、他の主題は詳細な属性のさらに詳細な属性までも含むものであってもよい。また、ユーザに提供される属性のうち複数の属性が選択されてもよい。
【０１１４】
検索要求部３１３０は、少なくとも１つの属性のうち選択される属性に応じた検索要求情報を検索サーバに送信する。すなわち、検索要求情報は、ユーザによって選択される属性に関する情報を含んでもよい。必要に応じて検索要求情報は主題に関する情報をさらに含んでもよい。
【０１１５】
検索結果提供部３１４０は、検索要求情報に対応する検索結果を検索サーバから受信して提供する。ここで、検索インタフェースおよび検索結果は、１つの画面に同時に（ｓｉｍｕｌｔａｎｅｏｕｓｌｙ）表示されてもよい。このとき、検索結果提供部３１４０は、検索インタフェースを用いてユーザから他の属性が選択される場合、他の属性に応じて、検索サーバによって受信された検索結果を表示された検索結果から動的に変更して提供してもよい。
【０１１６】
また、検索結果提供部３１４０は、提供された検索結果のうちの１つがユーザによって選択される場合、選択された検索結果からテキストを抽出してもよい。ここで、抽出されたテキストは検索要求部３１３０によって検索サーバに送信されてもよく、検索サーバは抽出されたテキストを検索語として用いて検索結果を生成してもよい。生成された検索結果は再びモバイルシステム３１００に送信されてもよく、検索結果提供部３１４０は受信された検索結果をユーザに提供してもよい。すなわち、主題と属性に応じて検索結果を一次的に提供し、一次的に提供された検索結果から抽出されたテキストを用いて二次的な（ｓｅｃｏｎｄａｒｙ）検索結果を提供してもよい。
【０１１７】
図３２は、本発明の他の実施形態に係るモバイルシステムが行うことのできる検索結果提供方法を示すフローチャートである。本実施形態に係る検索結果提供方法は、図３１を参照して説明したモバイルシステム３１００によって実行されてもよい。
【０１１８】
ステップ３２１０において、モバイルシステム３１００は検索の主題を選択するための検索インタフェースを提供する。ここで、モバイルシステム３１００は様々な主題を検索インタフェースによって提供してもよいが、ユーザから検索インタフェースを介して主題が入力されてもよい。
【０１１９】
ステップ３２２０において、モバイルシステム３１００は、検索インタフェースによって入力された主題に応じて予め決定された少なくとも１つの属性を、検索インタフェースを介して提供する。ここで、１つの属性は詳細な属性を含んでもよく、ユーザは検索インタフェースによって段階的に属性を選択してもよい。また、モバイルシステム３１００は、１つの主題に対して１つ以上の属性を提供してもよく、１つの属性に対して１つ以上の詳細な属性を提供してもよい。ここで、属性を提供するステップは主題に応じてその深さが決められる。すなわち、主題に応じて、いずれかの主題は一次的な属性だけを含んでもよく、他の主題は詳細な属性のさらに詳細な属性までも含んでもよい。また、ユーザに提供される属性のうち複数の属性が選択されてもよい。
【０１２０】
ステップ３２３０において、モバイルシステム３１００は、少なくとも１つの属性のうち選択される属性に応じた検索要求情報を検索サーバに送信する。すなわち、検索要求情報は、ユーザによって選択される属性に関する情報を含んでもよい。必要に応じて検索要求情報は主題に関する情報をさらに含んでもよい。
【０１２１】
ステップ３２４０において、モバイルシステム３１００は、検索要求情報に対応する検索結果を検索サーバから受信して提供する。ここで、検索インタフェースと検索結果は、１つの画面に同時に表示されてもよい。このとき、モバイルシステム３１００は、検索インタフェースを用いてユーザから他の属性が選択される場合、他の属性に応じて、検索サーバによって受信された検索結果を表示された検索結果から動的に変更して提供してもよい。
【０１２２】
また、モバイルシステム３１００は、提供された検索結果のうち１つがユーザによって選択される場合、選択された検索結果からテキストを抽出してもよい。ここで、抽出されたテキストは、モバイルシステム３１００によって検索サーバに送信されてもよく、検索サーバは抽出されたテキストを検索語として用いて検索結果を生成してもよい。生成された検索結果は再びモバイルシステム３１００に送信してもよく、受信された検索結果をユーザに提供してもよい。すなわち、主題と属性に応じて検索結果を一次的に提供し、一次的に提供された検索結果から抽出されたテキストを用いて二次的な検索結果を提供してもよい。
【０１２３】
図３３は、本発明の他の実施形態に係る検索システムの内部構成を説明するためのブロック図である。本実施形態に係る検索システム３３００は、図３１および図３２によって説明した検索サーバに対応する。ここで、図３３に示すように、検索システム３３００は検索要求受信部３３１０および検索結果提供部３３２０を備えてもよい。
【０１２４】
検索要求受信部３３１０は、モバイル端末から検索要求情報を受信する。ここで、モバイル端末は、図３１および図３２で説明したモバイルシステム３１００に対応する。すなわち、モバイル端末は検索の主題を選択するための検索インタフェースを提供し、検索インタフェースによって入力された主題に応じて予め決定された少なくとも１つの属性を検索インタフェースによって提供してもよい。また、少なくとも１つの属性のうち選択される属性に応じた検索要求情報を、検索サーバ、すなわち、検索システム３３００に送信してもよい。検索要求受信部３３１０は、このようにモバイル端末から送信された検索要求情報を受信してもよい。
【０１２５】
検索結果提供部３３２０は、検索要求情報に含まれる少なくとも１つの属性に応じて検索結果を確認してモバイル端末に提供する。ここで、少なくとも１つの属性は、モバイル端末で選択された検索の主題に対応する属性のうち少なくとも１つの属性を含んでもよい。すなわち、検索結果提供部３３２０は、与えられた属性に応じて検索された結果にしたがって検索結果を生成してモバイル端末に送信してもよい。
【０１２６】
図３４は、本発明の他の実施形態に係る検索システムが行うことのできる検索結果提供方法を示すフローチャートである。本実施形態に係る検索結果提供方法は、図３３を参照して説明した検索システム３３００によって実行されてもよい。
【０１２７】
ステップ３４１０において、検索システム３３００はモバイル端末から検索要求情報を受信する。ここで、モバイル端末は図３１および図３２で説明したモバイルシステム３１００に対応する。すなわち、モバイル端末は検索の主題を選択するための検索インタフェースを提供し、検索インタフェースによって入力された主題に応じて予め決定された少なくとも１つの属性を検索インタフェースによって提供してもよい。また、少なくとも１つの属性のうち選択される属性に応じた検索要求情報を、検索サーバ、すなわち、検索システム３３００に送信してもよい。検索システム３３００は、このようにモバイル端末から送信された検索要求情報を受信してもよい。
【０１２８】
ステップ３４２０において、検索システム３３００は、検索要求情報に含まれる少なくとも１つの属性に応じて検索結果を確認してモバイル端末に提供する。ここで、少なくとも１つの属性は、モバイル端末で選択された検索の主題に対応する属性のうち少なくとも１つの属性を含んでもよい。すなわち、検索システム３３００は、与えられた属性に応じて検索された結果にしたがって検索結果を生成してモバイル端末に送信してもよい。
【０１２９】
図２８〜図３４で省略した説明は図１〜図２７の説明を参照することができる。
【０１３０】
このように、本発明の実施形態によると、テキスト検索、音声を用いて検索結果を取得する音楽などを検索するためのオーディオ検索、写真などに含まれる単語または写真そのものを用いて検索結果を取得するイメージ検索、質問に対する他のユーザの返答を取得する知識検索、及びユーザによって入力された主題に適した属性を用いて検索結果を取得する属性検索のように、様々な検索モードを容易に提供することができる。また、様々な主題を提示し、ユーザによって入力された主題に適した属性を提示することによって、所定の主題と属性を選択するだけでもユーザが検索することを可能とし、モバイル端末への入出力の際に感じる難しさを軽減することができる。
【０１３１】
本発明の実施形態に係る方法は、多様なコンピュータ手段を介して様々な処理を実行可能なプログラム命令の形態で実現され、コンピュータ読取可能な記録媒体に記録されてもよい。コンピュータ読取可能な媒体は、プログラム命令、データファイル、データ構造などのうちの１つまたはその組み合わせを含んでもよい。媒体に記録されるプログラム命令は、本発明の目的のために特別に設計されて構成されたものでもよく、コンピュータソフトウェア分野の技術を有する当業者にとって公知のものであり使用可能なものであってもよい。コンピュータ読取可能な記録媒体の例としては、ハードディスク、フロッピー（登録商標）ディスク及び磁気テープのような磁気媒体、ＣＤ−ＲＯＭ、ＤＶＤのような光記録媒体、光ディスクのような光磁気媒体、及びＲＯＭ、ＲＡＭ、フラッシュメモリなどのようなプログラム命令を保存して実行するように特別に構成されたハードウェア装置が含まれてもよい。プログラム命令の例としては、コンパイラによって生成されるような機械語コード（ｍａｃｈｉｎｅ  ｃｏｄｅ）だけでなく、インタプリタなどを用いてコンピュータによって実行され得る高級言語コード（ｈｉｇｈｅｒ  ｌｅｖｅｌ  ｃｏｄｅ）を含む。上述したハードウェア装置は、本発明の動作を行うために１つ以上のソフトウェアのレイヤで動作するように構成されてもよい。
【０１３２】
上述したように本発明を限定された実施形態と図面によって説明したが、本発明は、上記の実施形態に限定されることなく、本発明が属する分野における通常の知識を有する者であれば、このような実施形態から多様な修正及び変形が可能である。
【０１３３】
したがって、本発明の範囲は、開示された実施形態に限定されて定められるものではなく、特許請求の範囲だけではなく特許請求の範囲と均等なものなどによって定められるものである。
【符号の説明】
【０１３４】
２００      モバイルシステム
２１０      ユーザインタフェース部
２２０      検索要求部
２３０      検索結果提供部
【図１】
0006339308.tif 000002
【図２】
0006339308.tif 000003
【図３】
0006339308.tif 000004
【図４】
0006339308.tif 000005
【図５】
0006339308.tif 000006
【図６】
0006339308.tif 000007
【図７】
0006339308.tif 000008
【図８】
0006339308.tif 000009
【図９】
0006339308.tif 000010
【図１０】
0006339308.tif 000011
【図１１】
0006339308.tif 000012
【図１２】
0006339308.tif 000013
【図１３】
0006339308.tif 000014
【図１４】
0006339308.tif 000015
【図１５】
0006339308.tif 000016
【図１６】
0006339308.tif 000017
【図１７】
0006339308.tif 000018
【図１８】
0006339308.tif 000019
【図１９】
0006339308.tif 000020
【図２０】
0006339308.tif 000021
【図２１】
0006339308.tif 000022
【図２２】
0006339308.tif 000023
【図２３】
0006339308.tif 000024
【図２４】
0006339308.tif 000025
【図２５】
0006339308.tif 000026
【図２６】
0006339308.tif 000027
【図２７】
0006339308.tif 000028
【図２８】
0006339308.tif 000029
【図２９】
0006339308.tif 000030
【図３０】
0006339308.tif 000031
【図３１】
0006339308.tif 000032
【図３２】
0006339308.tif 000033
【図３３】
0006339308.tif 000034
【図３４】
0006339308.tif 000035